(57)【要約】【課題】剣道防具を構成する面を頭部に装着するのに、面紐を用いないで面ファスナーを用いて係合係止するようにし、又、胴を胴体に装着するのに、胴紐を使用しないで帯状の部材を予めたすきがけ状に形成しておくことで紐を結ぶという動作なくして胴を装着し、更に、垂を腰部に装着する際に、垂の両側に設けた帯状部材を背後で交差させ面ファスナーで係合係止し、そして、甲手を手に収めるのに、筒部の部分に設けた帯状部材を面ファスナーで係合係止することでワンタッチで装着することができる剣道防具を提供する。【解決手段】剣道防具を構成する身体の頭部に装着する面であって、前記面を頭部に装着するために、面金下部のそれぞれ左右位置に取付けた帯状部材を後頭部側で交差させ、該交差させた帯状部材を前頭部側で面金上部のそれぞれ左右位置で折り返し、該折り返した帯状部材の部位を面の側面位置において面ファスナーで固定する構造の面装着固定手段を備えたことである。【選択図】図１
2010167070.tif 000002
【特許請求の範囲】
【請求項１】
身体の頭部に装着する面であって、
前記面を頭部に装着するために、面金下部のそれぞれ左右位置に取付けた帯状部材を後頭部側で交差させ、該交差させた帯状部材を前頭部側で面金上部のそれぞれ左右位置で折り返し、該折り返した帯状部材の部位を面の側面位置において面ファスナーで固定する構造の面装着固定手段を備えたことを特徴とする剣道防具。
【請求項２】
前記面ファスナーで固定する位置は面ファスナーを連続して又は間欠に連続して係止できるようにしたことを特徴とする請求項１に記載の剣道防具。
【請求項３】
身体の胴体部位に装着する胴であって、
胴脇上部に設けた乳革のそれぞれに帯状部材を取付け、該胴脇上部に設けた乳革に取付けた帯状部材を背後で交差させて、胴胸脇に設けた乳革のそれぞれに取付け、該胴胸脇に設けた乳革に取付けた帯状部材の長さを調整自在にすると共に、
胴脇底部に設けた乳革のそれぞれに帯状部材を取付け、該胴脇底部に設けた乳革に取付けた帯状部材を面ファスナーで取付係止することを特徴とする剣道防具。
【請求項４】
身体の腰部に装着する垂であって、
前記垂の両側のそれぞれに帯状部材を連設し、該連設した帯状部材の自由端部寄りに面ファスナーを備え、
前記それぞれの帯状部材を腰部背後で交差させて前記垂の側部に設けた面ファスナーに前記帯状部材の面ファスナーの長さを調整させて係合係止させることを特徴とする剣道防具。
【請求項５】
身体の手の部位に装着する甲手であって、
前記甲手の筒部の開口部分に該筒部と直交する端部に帯状部材を取付け、該端部に取付けた帯状部材を対向する端部で折り返して、前記帯状部材を取付けた端部に設けた面ファスナーに、前記帯状部材の自由端部寄りに設けた面ファスナーを調整自在に係合係止することを特徴とする剣道防具。
【請求項６】
前記帯状部材は、複数配列したことを特徴とする請求項５に記載の剣道防具。
【発明の詳細な説明】
【技術分野】
【０００１】
本発明は、剣道防具に関し、詳しくは、剣道防具に使用される、面、甲手、胴、垂を装着する際に簡単に装着できるように、紐部材を排除して、帯状部材の係止部位に面ファスナー（商標名；マジックテープ（登録商標））を利用して装着するようにした剣道防具に関する。
【背景技術】
【０００２】
剣道防具は、竹刀による打突から身を護るためと、有効打突を実効させるための有効打突部位を予め決めておくために必要なもので、身体の頭部を護るための面１２、胸部及び腹部を護るための胴２５、主に急所を護るための垂４１、手及び腕を護るための甲手５５からなる。
【０００３】
面１２には、図１８に示すように、頭部に固定するために一対の面紐７２が取付けられている。この面紐７２は、面金１２に取り付けた結革７１に結びつけられており、この面紐７２を背後で交差させ、面金１２の上部側に持ってゆき面金１２に互いに通して交差させて、更に背後に持ってゆき、そこで蝶結びにして面１１を頭部に装着する。
【０００４】
胴２５には、図１９に示すように、胴２５を身体に装着するための一対の胴紐７３、胴２５が身体から容易に離れるのを防止するための一対の腰紐７４が具備されている。この一対の胴紐７３は、背中で交差させ、胴部材の上部にある左右留革（乳革）３１に連通させて結ぶ。一対の腰紐７４は、腰の後ろ当りで蝶結びに結ぶ。
【０００５】
垂４１には、図２０に示すように、腰の部分に装着するもので、両端部から帯状の垂腰紐７５が取付けられている。この垂腰紐７５は、垂部材を腰に当てて垂腰紐７５を腰の後ろに回して前方に持ってきて前方で蝶結びにして身体の腰に装着する。
【０００６】
甲手５５には、図２１に示すように、手に通して手の部分と甲の部分を保護するもので、両手の各々に装着する。甲手５５の筒部７６の一部には、甲手紐７７で編んだ状態にして装着されている。
【０００７】
このような構成からなる剣道防具において、その着装するためには、先ず、剣道袴と剣道衣を着装し、先ず垂を腰に当てて垂腰紐を腰の後ろに一度回して前方で蝶結びして身体の腰に締め付け、その後、胴を胸に当てて左右の胴紐を背中で交差させ肩の向こうに胴の左右留革に結び、腰紐を背中の後ろから蝶結び目をつくって胴が身体の胸に装着するようにする。その後、頭巾を頭に着用（手拭を頭に着用）してから、頭部に面を被せて密着させ、面紐を引っ張って締め付けてから後頭部で蝶結びして面を頭部に固定させるが、この際、蝶結びした面紐の長さが左右均等になるように合わせる。そして、最後に甲手を左側甲手と右側甲手の順に着装する。
【特許文献１】特開２００５−２１１６５８号公報
【発明の開示】
【発明が解決しようとする課題】
【０００８】
しかしながら、上記背景技術の項で説明した剣道防具の甲手部材、面部材、胴部材、垂部材は全て身体に装着して紐で結んで固定させるべきなので、その着装過程が複雑であり、着装に長時間かかる煩わしさがあった。
又、剣道防具の各々に取付けられた紐で身体に装着するが、紐がしっかり結ばれていない場合には稽古或いは練習中に解け、この解けた紐を結び直す必要があり、稽古或いは練習を中座しなければならないという問題もある。
特に、剣道初心者や子供、老弱者の場合には、紐を堅固に結びがたく且つ着装に時間がかかるという問題もある。
従って、剣道防具を着装するにあたり、剣道初心者であっても簡単に且つ確実に紐を結び付けるような構成、構造に解決しなければならない課題を有する。
【課題を解決するための手段】
【０００９】
上記課題を解決するために、本発明に係る剣道防具は、次に示す構成にすることである。
【００１０】
（１）剣道防具は、身体の頭部に装着する面であって、
前記面を頭部に装着するために、面金下部のそれぞれ左右位置に取付けた帯状部材を後頭部側で交差させ、該交差させた帯状部材を前頭部側で面金上部のそれぞれ左右位置で折り返し、該折り返した帯状部材の部位を面の側面位置において面ファスナーで固定する構造の面装着固定手段を備えたことである。
（２）前記面ファスナーで固定する位置は面ファスナーを連続して又は間欠に連続して係止できるようにしたことを特徴とする（１）に記載の剣道防具。
【００１１】
（３）剣道防具は、身体の胴体部位に装着する胴であって、
胴脇上部に設けた乳革のそれぞれに帯状部材を取付け、該胴脇上部に設けた乳革に取付けた帯状部材を背後で交差させて、胴胸脇に設けた乳革のそれぞれに取付け、該胴胸脇に設けた乳革に取付けた帯状部材の長さを調整自在にすると共に、
胴脇底部に設けた乳革のそれぞれに帯状部材を取付け、該胴脇底部に設けた乳革に取付けた帯状部材を面ファスナーで取付係止することである。
【００１２】
（４）剣道防具は、身体の腰部に装着する垂であって、
前記垂の両側のそれぞれに帯状部材を連設し、該連設した帯状部材の自由端部寄りに面ファスナーを備え、
前記それぞれの帯状部材を腰部背後で交差させて前記垂の側部に設けた面ファスナーに前記帯状部材の面ファスナーを長さを調整させて係合係止させることである。
【００１３】
（５）剣道防具は、身体の手の部位の装着する甲手であって、
前記甲手の筒部の開口部分に該筒部と直交する端部に帯状部材を取付け、該端部に取付けた帯状部材を対向する端部で折り返して、前記帯状部材を取付けた端部に設けた面ファスナーに、前記帯状部材の自由端部寄りに設けた面ファスナーを調整自在に係合係止することである。
（６）前記帯状部材は、複数配列したことを特徴とする（４）に記載の剣道防具。
【発明の効果】
【００１４】
本発明の剣道防具は、面を頭部に装着するのに、面紐を用いないで面ファスナーを用いて係合係止するようにしたことで、面の装着が、所謂、ワンタッチで装着することが可能になる。
又、胴を胴体に装着するのに、胴紐を使用しないで帯状の部材を予めたすきがけ状に形成しておくことで紐を結ぶという動作なくして胴を装着することができる。
更に、垂を腰部に装着する際に、垂の両側に設けた帯状部材を背後で交差させ面ファスナーで係合係止することで、所謂、ワンタッチで垂を装着することができる。
そして、甲手を手に収めるのに、筒部の部分に設けた帯状部材を面ファスナーで係合係止することでワンタッチでの甲手を装着することができる。
【発明を実施するための最良の形態】
【００１５】
次に、本発明に係る剣道防具の実施例について図面を参照して以下説明する。尚、従来技術と同じものには同一符号を付与して説明する。
【００１６】
本発明の剣道防具は、図１〜図１７に示すように、従来技術でも説明したように、竹刀による打突から身を護るためと、有効打突を実効させるための有効打突部位を予め決めておくために必要なもので、身体の頭部を護るための面１１、胸部及び腹部を護るための胴２５、主に急所を護るための垂４１、手及び腕を護るための甲手５５からなる。
【００１７】
面１１は、図１乃至図４に示すように、身体の頭部に装着するもので、面金１２下部の金具の左右位置のそれぞれに設けた下部留部材１３にフック１４を介在させた帯状部材１５ａ、１５ｂを後頭部側で交差させ、この交差させた帯状部材１５ａ、１５ｂを後頭部側に設けてある帯位置決め部材１６に挿通させ、前頭部側で面金１２上部の金具の左右位置に設けた上部留部材１７にフック１８を介在させて折り返し、この折り返した帯状部材１５ｂの部位を面１１の側面位置において面ファスナー１９、２１で固定する面装着固定手段を備えた構成になっている。
【００１８】
帯状部材１５の面ファスナー１９、２１で固定する部位は、帯状部材１５ｂの前頭部方向に行く面の側面位置にあたる部位に面ファスナー（ループ面）１９を形成し、前頭部側で折り返し、側面位置にあたる部位に面ファスナー（フック面）２１を形成することで構成される。このフック面２１は複数のフック面、実施例においては３個のフック面で構成されている。
更に、ループ面１９にフック面２１を引っ掛けることで係止した帯状部材１５ｂの自由端部側においては、やはり片方の帯状部材１５ａに面ファスナー（ループ面）２２を形成し、他方の帯状部材１５ｂに面ファスナー（フック面）２３を形成することで、このループ面２２にフック面２３を引っ掛けることで、後ろの帯状部材１５ａ、１５ｂを結びつけるようにして整頓させることができる。
【００１９】
図４に示すように、帯状部材１５ａ、１５ｂを折り返すための上部留部材１７にフック１８が取り付けてあり、このフック１８に帯状部材１５ａ、１５ｂを挿通させて折り返すことで、帯状部材１５ａ、１５ｂを調整自在な構成にすることにより、面１１を頭部に適度な締め付け状態にして取り付けることができる。
【００２０】
胴２５は、図５乃至図９に示すように、胴本体２６の胴脇上部に設けた一対の乳革２７、２７のそれぞれに帯状部材２９、２９を取付け、この胴脇上部に設けた乳革２７に取付けた帯状部材２９、２９を背後で交差させて、胴胸脇に設けた一対の乳革３１、３１のそれぞれに取付け、この胴胸脇に設けた乳革３１、３１に取付けた帯状部材２９、２９の長さを調整自在にする長さ調整部３２、３２を備えた構成になっている。
長さ調整部３２は、図５及び図６に示すように、帯状部材２９をフック３３に挿通させ、乳革３１で折り返した帯状部材２９をフック３３に係合させて乳革３１方向に帯状部材２９の端部をフック３３で折り返すことで、フック３３を使用して帯状部材２９の長さを調整するというものである。
【００２１】
図７及び図８に示す長さ調整部３２は、変形例であり、予めフック３３の留め金に帯状部材２９の端部を係合させておき、その係合した帯状部材２９の端部を乳革３１に係合させ、乳革３１に係合した帯状部材２９を再度フック３３の留め金に係合させることで調整自在な構成にする。
【００２２】
又、胴本体２６の胴脇底部に設けた一対の乳革３４、３４のそれぞれに腰帯状部材３５ａ、３５ｂを取り付け、この乳革３４、３４に取付けた腰帯状部材３５ａ、３５ｂの先端部寄りに面ファスナー３６、３７を取付けた構成になっている。面ファスナー３６、３７は片方の腰帯状部材３５ａがループ面３６で他方の腰帯状部材３５ｂがフック面３７を形成する。
【００２３】
このように面ファスナー３６、３７を取付けた腰帯状部材３５ａ、３５ｂは、図９に示すように、帯状部材２９を肩にかけるようにして胴２５を胴体に装着し、腰帯状部材３５ａ、３５ｂを背後に回して面ファスナー３６、３７同士をワンタッチではりつけることで取付係止することができる。
【００２４】
垂４１は、図１０乃至図１３に示すように、身体の腰部に装着するもので、腰に把持する帯部４２と、この帯部４２を基部として均等に一定の隙間を空け、且つ膝上部近傍位置まで垂れ下がる大きさに形成された右前垂部４３、中央前垂部４４、左前垂部４５と、隙間を塞ぐように形成された右後垂部４６、左後垂部４７とからなる。
帯部４２の両端のそれぞれに帯状部材４８ａ、４８ｂを連設し、この連設した帯状部材４８ａ、４８ｂの自由端部寄りに面ファスナー（フック面）４９を備え、帯部４２の両端寄り位置に２つの面ファスナー（ループ面）５１ａ、５１ｂを備えた構成になっている。
このような構成の垂４１においては、それぞれの帯状部材４８ａ、４８ｂを腰部背後で交差させて帯部４２の側部に設けた面ファスナー（ループ面）５１ａ、５１ｂに帯状部材の面ファスナー（フック面）４９、４９を長さを調整して係合係止する。
【００２５】
このようにして、帯状部材４８ａ、４８ｂに面ファスナー４９、４９を設け、帯部４２の側部に面ファスナー５１ａ、５１ｂを設けた構造にすることで、垂４１を腰部に装着したときに帯状部材４８ａ、４８ｂを腰の背後で交差させ、面ファスナー４９、４９、５１ａ、５１ｂ同士でワンタッチではりつけることで垂４１を腰の部分に装着することができるのである。
【００２６】
甲手５５は、図１４乃至図１７に示すように、身体の手の部位に装着するもので、手を入れるころも部５６と、このころも部５６に連設され手首の周囲を覆う筒部５７と、この筒部５７に連設され前腕を覆う小手筒５８とから構成されている。
【００２７】
小手筒５８には、その筒５８の開口部分に小手筒５８と直交する端部に設けた止部材５９で係合されているフック６１に帯状部材６０を取り付け、この端部に取付けた帯状部材６０を対向する端部に取り付けてある面ファスナー（ループ面）６２に帯状部材６０の自由端部寄りに設けた面ファスナー（フック面）６３を調整自在にして係合係止する。
このように、小手筒５８に設けた帯状部材６０により甲手５５を手に装着するときに、帯状部材６２をひっぱりながら腕の太さに合わせ、面ファスナー６２、６３同士でワンタッチではりつけることで甲手５５を手に装着することができる。
尚、この帯状部材６２は、実施例において２つ並列に配列した構成になっているが数には限定されない。
【産業上の利用可能性】
【００２８】
剣道防具を構成する面を頭部に装着するのに、面紐を用いないで面ファスナーを用いて係合係止するようにし、又、胴を胴体に装着するのに、胴紐を使用しないで帯状の部材を予めたすきがけ状に形成しておくことで紐を結ぶという動作なくして胴を装着し、更に、垂を腰部に装着する際に、垂の両側に設けた帯状部材を背後で交差させ面ファスナーで係合係止し、そして、甲手を手に収めるのに、筒部の部分に設けた帯状部材を面ファスナーで係合係止することでワンタッチで装着することができる剣道防具を提供する。
【図面の簡単な説明】
【００２９】
【図１】本願発明に係る面に帯状部材を取付けた様子を示す説明図である。
【図２】同、帯状部材の取り付け様子を示す説明図である。
【図３】同、背面からみた帯状部材の取り付け様子を示す説明図である。
【図４】同、帯状部材の調整自在な部分を拡大して示した説明図である。
【図５】本発明に係る胴に帯状部材を取付けた様子を示す説明図である。
【図６】同、長さ調整部を拡大して示す説明図である。
【図７】同、胴に帯状部材を取付けた他の例を示す説明図である。
【図８】同、長さ調整部の他の例を示す説明図である。
【図９】同、胴を胴体に取付けた様子を示す説明図である。
【図１０】本発明に係る垂に帯状部材を取付けた様子を示す説明図である。
【図１１】同、垂を腰に取付けた様子を示す説明図である。
【図１２】同、垂を取り付ける際の後ろからみた説明図である。
【図１３】同、垂を取り付ける際の横方向からみた説明図である。
【図１４】本発明に係る甲手に帯状部材を取付けた様子を示す説明図である。
【図１５】同、甲手に帯状部材を取付けた様子を横方向からみた説明図である。
【図１６】同、左甲手に帯状部材を取付けた様子を底面方向からみた説明図である。
【図１７】同、右甲手に帯状部材を取付けた様子を底面方向からみた説明図である。
【図１８】従来技術における面に面紐を取付けた様子を示す説明図である。
【図１９】従来後術における胴に胴紐を取付けた様子を示す説明図である。
【図２０】従来技術における垂に垂腰紐を取付けた様子を示す説明図である。
【図２１】従来技術における甲手に甲手紐を取付けた様子を示す説明図である。
【符号の説明】
【００３０】
１１      面
１２      面金
１３      下部留部材
１４      フック
１５ａ    帯状部材
１５ｂ    帯状部材
１６      帯位置決め部材
１７      上部留部材
１８      フック
１９      面ファスナー（ループ面）
２１      面ファスナー（フック面）
２２      面ファスナー（ループ面）
２３      面ファスナー（フック面）
２５      胴
２６      胴本体
２７      乳革
２８      帯状部材
２９      帯状部材
３１      乳革
３２      長さ調整部
３３      フック
３４      乳革
３５ａ    腰帯状部材
３５ｂ    腰帯状部材
３６      面ファスナー（ループ面）
３７      面ファスナー（フック面）
４１      垂
４２      帯部
４３      右前垂部
４４      中央前垂部
４５      左前垂部
４６      右後垂部
４７      左後垂部
４８ａ    帯状部材
４８ｂ    帯状部材
４９      面ファスナー（フック面）
５１ａ    面ファスナー（ループ面）
５１ｂ    面ファスナー（ループ面）
５５      甲手
５６      ころも部
５７      筒部
５８      小手筒
５９      止部材
６０      帯状部材
６１      フック
６２      面ファスナー（ループ面）
６３      面ファスナー（フック面）
【図１】
2010167070.tif 000003
【図２】
2010167070.tif 000004
【図３】
2010167070.tif 000005
【図４】
2010167070.tif 000006
【図５】
2010167070.tif 000007
【図６】
2010167070.tif 000008
【図７】
2010167070.tif 000009
【図８】
2010167070.tif 000010
【図９】
2010167070.tif 000011
【図１０】
2010167070.tif 000012
【図１１】
2010167070.tif 000013
【図１２】
2010167070.tif 000014
【図１３】
2010167070.tif 000015
【図１４】
2010167070.tif 000016
【図１５】
2010167070.tif 000017
【図１６】
2010167070.tif 000018
【図１７】
2010167070.tif 000019
【図１８】
2010167070.tif 000020
【図１９】
2010167070.tif 000021
【図２０】
2010167070.tif 000022
【図２１】
2010167070.tif 000023